(57)【要約】【課題】製品の型や規格に合わせて移動し、スピーディに管治具を交換する管治具のモジュール構造を提供する。【解決手段】管治具のモジュール構造は、少なくとも一管治具及び基板を備える。そのうち、基板の板面上には二本が平行に配置した凸レールを設置し、その一側の凸レールの壁面には少なくとも一定位穿孔を設置する。各管治具の底部には滑動台を設置して基板の二本の凸レールの間に嵌入し、各管治具は、滑動台の壁面に少なくとも一定位孔供を設置して凸レールの定位穿孔と相互に合わさる。滑動台で二本の凸レールの間に嵌合する。【選択図】図２
0003159499.tif 000002
【実用新案登録請求の範囲】
【請求項１】
管治具のモジュール構造において、
板面上に二本が平行に配置した凸レールを設置し、そのうち一側の凸レールの壁面には少なくとも一定位穿孔を設置する基板と、
各底部に滑動台を設置して該基板の二本の凸レールの間に嵌入し、各該滑動台の壁面に少なくとも一定位孔を設置して該凸レールの定位穿孔と相互に合わせる少なくとも一管治具を含むことを特徴とする管治具のモジュール構造。
【請求項２】
前記少なくとも一定位穿孔内に一定位ピンを設置し、該二本の凸レールの間に相対して入れ、該定位ピンはネジ作用もしくはバネ作用で該二本の凸レールの間に相対して入れることを特徴とする請求項１記載の管治具のモジュール構造。
【請求項３】
前記管治具のモジュール構造は、別に回転台を設置して基板を乗せ、該回転台は固定台上に軸設し、該固定台に相対して回転することを特徴とする請求項１記載の管治具のモジュール構造。
【考案の詳細な説明】
【技術分野】
【０００１】
本考案は、管治具のモジュール化構造に関するもので、特に製品の型や規格の違いに合わせてスピーディに管治具を交換するモジュール構造である。
【背景技術】
【０００２】
図１に示すのは、車両のラジエータータンクに応用した熱交換器である。この熱交換器１０は主に複数が密集して配列した管材１１及び複数個の各管材１１の間に装填するフィン片１２から構成され、各管材１１が熱源をスピーディに各フィン片１２へ伝導し、次にフィン片１２と外界を接触させる方式で熱交換を行う。
【０００３】
一般の熱交換器は加工製造する時、放熱器構造の完全性を確保しなければならない他に、更に長時間、煩雑な組立作業において、関連部品の衝突、破損を回避するため注意が必要である。そのため、多くは関連管治具で管材の成型、排列及び組立等作業を補助している。
【０００４】
更に市場で見られる熱交換器は用途によって異なり、その造型、規格もまた異なる。勿論、使用する管治具もまた特定の造型、規格である。生産者にとって、各種管治具をそろえて異なる製品の必要に対応する他に、治具の設置には、また必要に応じた規格や設計が必要であり、治具の交換作業に時間を取られることは製品の産業能力と品質も下げることになる。
【考案の概要】
【考案が解決しようとする課題】
【０００５】
解決しようとする問題点は、治具の交換作業に時間を取られると、製品の産業能力及び品質に影響を与える点である。
【課題を解決するための手段】
【０００６】
本考案は、少なくとも一管治具及び基板を備える。そのうち、基板の板面上には二本が平行に配置した凸レールを設置し、その一側の凸レールの壁面には少なくとも一定位穿孔を設置する。各管治具の底部には滑動台を設置して基板の二本の凸レールの間に嵌入し、各管治具は、滑動台の壁面に少なくとも一定位孔供を設置して凸レールの定位穿孔と相互に合わさる。滑動台で二本の凸レールの間に嵌合することによって、スピーディに管治具と基板を結合し、更に定位穿孔と定位孔を相互に合わせる方式でスピーディに管治具を予定位置に固定し、即座に管治具を交換する目的を達成することを最も主要な特徴とする。
【考案の効果】
【０００７】
本考案の管治具のモジュール構造は、製品の型や規格の違いに合わせ、スピーディに管治具を交換するという利点がある。
【図面の簡単な説明】
【０００８】
【図１】本考案の熱交換器の外観構造図である。
【図２】本考案の構造立体図である。
【図３】本考案の構造側面図である。
【図４】本考案の構造俯瞰図である。
【図５】本考案の構造断面図である。
【図６】本考案の別の一実施例の構造側面図である。
【考案を実施するための形態】
【０００９】
製品の型、規格の違いに応じてスピーディに管治具を交換する管治具のモジュール構造を提供することを本考案の主な目的とする。
【００１０】
上述の目的を達成するため、本考案の管治具のモジュール構造は、少なくとも一管治具及び基板を備える。そのうち、基板の板面上には二本が平行に配置した凸レールを設置する。そのうち一側の凸レールの壁面には少なくとも一定位穿孔を設置する。各管治具の底部には滑動台を設置して基板の二本の凸レールの間に嵌入し、各管治具の滑動台の壁面には、少なくとも一定位孔を設置して凸レールの定位穿孔と相互に合わせる。 
【００１１】
使用時、滑動台を二本の凸レールの間に嵌入する方式でスピーディに管治具と基板を結合し、定位穿孔と定位孔を相互に合わせ、スピーディに管治具を予定位置に固定し、スピーディに管治具を交換する目的を達成する。
【実施例１】
【００１２】
図２から図４に示すのは、本考案の管治具のモジュール構造で、基板２１，及び少なくとも一管治具２２を含む。そのうち、
【００１３】
基板２１の板面上には二本の平行配置した凸レール２１１を設置する。そのうち、一側の凸レール２１１の壁面には少なくとも一定位穿孔２１２を設置し、該少なくとも一定位穿孔２１２内に定位ピン２１３を設置する。該定位ピン２１３はネジもしくはバネの作用を利用して該二本の凸レール２１１の間に相対して設置する。
【００１４】
各管治具２２の底部は、滑動台２２１を設置して該基板２１の二本の凸レール２１１の間に嵌入する。各管治具２２は、該滑動台２２１の壁面に少なくとも一定位孔２２２を設置して該凸レール２１１の定位穿孔２１２と相互に合わせる。更に各管治具２２の端部には更に停止板２２３を固定して管治具２２の定位効果を高める。
【００１５】
本考案の管治具のモジュール構造を使用する時、各管治具２２は底部の滑動台２２１を該基板２１の二本の凸レール２１１の間に嵌入し、スピーディに管治具２２を基板２１と結合する。更に凸レール２１１の定位穿孔２１２と管治具２２の定位孔２２２を相互に合わせてスピーディに管治具２２を予定位置に固定する。また図５に示すとおり、定位ピン２１３で管治具２２の定位効果及び確実性を高める。そして製品の型、規格の違いによってスピーディに管治具を交換する目的を達成する。
【実施例２】
【００１６】
更に、図６に示すとおり、本考案の管治具のモジュール構造は、更に回転台２３を設置して基板２１に乗せてもよく、該回転台２３は、固定台２４上に軸設し、該固定台２４と共に回転し、角度を変えることで、スピーディに管治具２２を交換する目的を達成する。
【００１７】
上述のとおり、本考案は実施可能な管治具のモジュール構造を提供して実用新案を申請する。本考案の技術内容及び技術特徴は上述のとおりであるが、本領域に習熟するものが本考案の提示に基づいて各種の本考案の考案精神から乖離しない入替及び修飾をするかもしれない。拠って、本考案の保護範囲は、実施例に制限されずに各種の本考案の入替及び修飾を含み、以下の請求範囲に含むものとする。
【符号の説明】
【００１８】
１０        熱交換モジュール
１１        管材
１２        フィン片
２１        基板
２１１      凸レール
２１２      定位穿孔
２１３      定位ピン
２２        管治具
２２１      滑動台
２２２      定位孔
２２３      停止板
２３        回転台
２４        固定台
【図１】
0003159499.tif 000003
【図２】
0003159499.tif 000004
【図３】
0003159499.tif 000005
【図４】
0003159499.tif 000006
【図５】
0003159499.tif 000007
【図６】
0003159499.tif 000008
【手続補正書】
【提出日】平成22年2月5日(2010.2.5)
【手続補正１】
【補正対象書類名】実用新案登録請求の範囲
【補正対象項目名】請求項１
【補正方法】変更
【補正の内容】
【請求項１】
管治具のモジュール構造において、
板面上に二本が平行に配置した凸レールを設置し、そのうち一側の凸レールの壁面には少なくとも一定位穿孔を設置する基板と、
各管治具の底部に滑動台を設置して該基板の二本の凸レールの間に嵌入し、各該滑動台の壁面に少なくとも一定位孔を設置して該凸レールの定位穿孔と相互に合わせる少なくとも一管治具を含むことを特徴とする管治具のモジュール構造。